(57)【要約】【課題】従来の取付金具よりも軽量で、吊り下げたロープの中央部に載せるものより安全で、主柱材への取付けも容易な台棒の取付金具を提供する。【解決手段】第一金具１、第二金具４及びワイヤロープ１３から成り、第一金具１は主柱材Ｂに第一外側板２及び第一内側板３の両端で固定され、第一内側板３の内側に下部支持板３ｆが突設され、下部支持板上３ｆに台棒Ｄの下端を軸支する軸受部及びワイヤロープ１３の係止部が設けられ、第二金具４は第一金具１の上方の主柱材Ｂに第二外側板５及び第二内側板６の両端部で固定され、第一金具１の上方に位置する第二内側板６の内側に上部支持板６ｆが突設され、上部支持板６ｆの下面にワイヤロープ１３の係止部３ｉが設けられ、第一金具１のワイヤロープの係止部３ｉと第二金具４のワイヤロープの係止部６ｇによりワイヤロープ１３が緊張して接続されている。【選択図】図１
2020133257.tif 000002
【特許請求の範囲】
【請求項１】
第一金具、第二金具及びワイヤロープから成り、
前記第一金具は、鉄塔のアングル材から成る主柱材を挟持する第一外側板及び第一内側板の両端でボルトナットにより前記主柱材に固定される構成であり、前記第一外側板の外側又は第一内側板の内側に、前記主柱材に取り付けた際当該主柱材の長手方向に略直角な下部支持板が突設され、当該下部支持板上に台棒の下端を上下回転自在に軸支する軸受部及び当該軸受部の両脇に前記ワイヤロープの係止部が夫々設けられ、
前記第二金具は、前記第一金具の上方の鉄塔の主柱材を挟持する第二外側板及び第二内側板の両端部でボルトナットにより前記主柱材に固定される構成であり、前記第一金具の支持板の上方に位置する第二外側板の外側又は第二内側板の内側に、前記主柱材に取り付けた際当該主柱材の長手方向に略直角な上部支持板が突設され、当該上部支持板の下面であって、前記第一金具のワイヤロープの係止部に対向する位置に別途ワイヤロープの係止部が夫々設けられ、
前記第一金具の下部支持板の各ワイヤロープの係止部と前記第二金具の上部支持板の各ワイヤロープの係止部に前記ワイヤロープの両端が夫々係止されていることを特徴とする、台棒の取付金具。
【請求項２】
前記第一金具の第一外側板は、細幅の板体を山形に折り曲げて両端を突き合わせ部とし、前記第一内側板は、細幅の板体を山形に折り曲げ、当該板体の内側の開口にアングル材の垂直片を当てて固着し、当該アングル材の水平片を前記下部支持板とし、また、前記垂直片の両端と前記第一外側板の各突き合わせ部との間にボルトを通して当該ボルトの端部にナットを螺着して前記主柱材を挟持する構成とし、
前記第二金具の第二外側板は、細幅の板体を山形に折り曲げて両端を突き合わせ部とし、前記第二内側板は、細幅の板体を山形に折り曲げ、当該板体の内側の開口にアングル材の垂直片を当てて固着し、当該アングル材の水平片を前記上部支持板とし、また、前記垂直片の両端と前記第二外側板の各突き合わせ部との間にボルトを通して当該ボルトの端部にナットを螺着して前記主柱材を挟持する構成としたことを特徴とする、前記請求項１に記載の台棒の取付金具。
【請求項３】
前記ワイヤロープは、長さ調整自在な張線器から導出されることを特徴とした、前記請求項１又は２に記載の台棒の取付金具。
【請求項４】
第一金具、第二金具及びワイヤロープを備えた２個の張線器から成り、
前記第一金具は、第一外側板及び第一内側板により前記主柱材に固定され、前記第一外側板の外側又は第一内側板の内側に、前記主柱材の長手方向に略直角な下部支持板が突設され、当該下部支持板上に台棒の下端を上下回転自在に軸支する軸受部及び当該軸受部の両脇にワイヤロープの係止部が夫々設けられ、
前記第二金具は、第二外側板及び第二内側板により前記主柱材に固定され、前記第二外側板の外側又は第二内側板の内側に、前記主柱材の長手方向に略直角な上部支持板が突設され、当該上部支持板の下面にワイヤロープの係止部が夫々設けられて形成される台棒の取付金具を使用し、
鉄塔の山形鋼から成る主柱材の外側に、前記第一金具の第一外側板の内側を当て、前記主柱材の内側に、前記第一内側板の外側を当て、当該主柱材の両側から突出した第一外側板及び第一内側板の両端部をボルトとナットで固定し、
前記主柱材上であって前記第一金具から一定長離れた上方の外側に、台棒の取付金具の第二金具の第二外側板の内側を当て、当該主柱材の内側に前記第二内側板の外側を当て、当該主柱材の両側から突出した第二外側板及び第二内側板の両端部をボルトとナットで固定し、
前記上部支持板の係止部に前記各張線器の一方のワイヤロープの鉤部を係止し、前記下部支持板の係止部に前記各張線器の他方のワイヤロープの鉤部を係止し、当該各張線器の締付操作部を操作して各ワイヤロープを緊張させ、
前記下部支持板の軸支部に台棒の下端部を上下方向に回転自在に軸支することを特徴とした、台棒の取り付け方法。
【発明の詳細な説明】
【技術分野】
【０００１】
この発明は、鉄塔の建設や解体の際に建設資材等を吊り上げたり、吊り降ろしたりして運ぶ台棒を鉄塔に取り付ける取付金具及び当該取付金具を使用した台棒の取り付け方法に関するものである。
【背景技術】
【０００２】
従来、送電線の鉄塔の建設や解体に際し、台棒が使用されている。例えば、図１７に示すように、建設中又は解体途中の鉄塔の上部にある主柱材Ｇに、内側に向けて、台棒Ｈの下端部を起伏自在に取り付け、この台棒Ｈの先端に支線３１を取り付けている。また、この台棒Ｈの先端下面に金車３２を取り付け、この金車３２にワイヤロープ３３を通し、このワイヤロープ３３の先端に建設資材等３４を吊り下げるようになっている。前記支線３１及びワイヤロープ３３を操作して、前記台棒Ｈを使って建設資材等３４を吊り上げたり、吊り降ろしたりしている。
【０００３】
この様な台棒Ｈを前記鉄塔に取り付けるものとして、特許文献１に記載された取付金具がある（図１３、図１４参照）。この取付金具は、山形鋼から成る主柱材を外側から当接させるアウタープレート、前記主柱材に内側から当接して前記アウタープレートと当該主柱材を前後で挟持するインナープレート、このインナープレートの一端縁に設けられた前記台棒を連結する台棒連結部、この台棒連結部の一端縁に設けられた滑車連結部から成る。この様な台棒の取付金具は、台棒の支持部（台棒連結部）が回転式なので作業性が優れており、また、強度計算や実験により強度の実体把握がなされており、安心して使用できる。
【特許文献１】特許第６２０４６２９号公報
【発明の開示】
【発明が解決しようとする課題】
【０００４】
しかしながら、前記台棒の取付金具は、重量の大きな台棒を一点で支えるため鉄塔の主柱材に強固に取り付けられるものであるため、かなりの重量を有し、鉄塔への取り付けや移動に際しては、多人数の作業員で行わなければならず、利便性に欠け、使い勝手が良いと言えるものではない。その上、台棒は鉄塔の上端部材を組み立てる間に又は解体する間に取付け位置を変えるため、この取付金具を鉄塔の主柱材の組立箇所へ付け変えなければならない。
【０００５】
そこで、従来は鉄塔の主柱材に吊り下げたロープを台棒の下端部に巻き付けて台棒を支持しているのが現状である。しかしながら、この様にロープに台棒の下端部を支持するのは外れ易く、極めて危険である。この様な状況において、利便性に富み、使い勝手の良い、台棒の取付金具が求められている。
【０００６】
この発明は、これらの点に鑑みて為されたもので、前記特許文献１の取付金具よりも軽量で、吊り下げたロープの中央部に台棒を載せるものより安全で、また、主柱材への取付けも容易な台棒の取付金具及び当該取付金具を使用した台棒の取付け方法を提供して前記課題を解決するものである。
【課題を解決するための手段】
【０００７】
請求項１の発明は、第一金具、第二金具及びワイヤロープから成り、前記第一金具は、鉄塔のアングル材から成る主柱材を挟持する第一外側板及び第一内側板の両端でボルトナットにより前記主柱材に固定される構成であり、前記第一外側板の外側又は第一内側板の内側に、前記主柱材に取り付けた際当該主柱材の長手方向に略直角な下部支持板が突設され、当該下部支持板上に台棒の下端を上下回転自在に軸支する軸受部及び当該軸受部の両脇に前記ワイヤロープの係止部が夫々設けられ、前記第二金具は、前記第一金具の上方の鉄塔の主柱材を挟持する第二外側板及び第二内側板の両端部でボルトナットにより前記主柱材に固定される構成であり、前記第一金具の支持板の上方に位置する第二外側板の外側又は第二内側板の内側に、前記主柱材に取り付けた際当該主柱材の長手方向に略直角な上部支持板が突設され、当該上部支持板の下面であって、前記第一金具のワイヤロープの係止部に対向する位置に別途前記ワイヤロープの係止部が夫々設けられ、前記第一金具の下部支持板の各ワイヤロープの係止部と前記第二金具の上部支持板の各ワイヤロープの係止部に前記ワイヤロープの両端が夫々係止されている、台棒の取付金具とした。
【０００８】
請求項２の発明は、前記第一金具の第一外側板は、細幅の板体を山形に折り曲げて両端を突き合わせ部とし、前記第一内側板は、細幅の板体を山形に折り曲げ、当該板体の内側の開口にアングル材の垂直片を当てて固着し、当該アングル材の水平片を前記下部支持板とし、また、前記垂直片の両端と前記第一外側板の各突き合わせ部との間にボルトを通して当該ボルトの端部にナットを螺着して前記主柱材を挟持する構成とし、前記第二金具の第二外側板は、細幅の板体を山形に折り曲げて両端を突き合わせ部とし、前記第二内側板は、細幅の板体を山形に折り曲げ、当該板体の内側の開口にアングル材の垂直片を当てて固着し、当該アングル材の水平片を前記上部支持板とし、また、前記垂直片の両端と前記第二外側板の各突き合わせ部との間にボルトを通して当該ボルトの端部にナットを螺着して前記主柱材を挟持する構成とした、前記請求項１に記載の台棒の取付金具とした。
【０００９】
請求項３の発明は、前記ワイヤロープは、長さ調整自在な張線器から導出される、前記請求項１又は２に記載の台棒の取付金具とした。
【００１０】
請求項４の発明は、第一金具、第二金具及びワイヤロープを備えた２個の張線器から成り、前記第一金具は、第一外側板及び第一内側板により前記主柱材に固定され、前記第一外側板の外側又は第一内側板の内側に、前記主柱材の長手方向に略直角な下部支持板が突設され、当該下部支持板上に台棒の下端を上下回転自在に軸支する軸受部及び当該軸受部の両脇にワイヤロープの係止部が夫々設けられ、前記第二金具は、第二外側板及び第二内側板により前記主柱材に固定され、前記第二外側板の外側又は第二内側板の内側に、前記主柱材の長手方向に略直角な上部支持板が突設され、当該上部支持板の下面にワイヤロープの係止部が夫々設けられて形成される台棒の取付金具を使用し、鉄塔の山形鋼から成る主柱材の外側に、前記第一金具の第一外側板の内側を当て、前記主柱材の内側に、前記第一内側板の外側を当て、当該主柱材の両側から突出した第一外側板及び第一内側板の両端部をボルトとナットで固定し、前記主柱材上であって前記第一金具から一定長離れた上方の外側に、台棒の取付金具の第二金具の第二外側板の内側を当て、当該主柱材の内側に前記第二内側板の外側を当て、当該主柱材の両側から突出した第二外側板及び第二内側板の両端部をボルトとナットで固定し、前記上部支持板の係止部に前記各張線器の一方のワイヤロープの鉤部を係止し、前記下部支持板の係止部に前記各張線器の他方のワイヤロープの鉤部を係止し、当該各張線器の締付操作部を操作して各ワイヤロープを緊張させ、前記下部支持板の軸支部に台棒の下端部を上下方向に回転自在に軸支する、台棒の取り付け方法とした。
【発明の効果】
【００１１】
請求項の各発明によれば、従来の重量の大きな取付金具を使用せず、ワイヤロープで連絡した第一金具及び第二金具からなる取付金具を使用するので、第一金具と第二金具で分担して台棒を支持しているため、従来の取付金具と比べて軽量であり、鉄塔への取り付けや移動に際しては、多数の作業員を必要とせず、使い勝手が良い。また、鉄塔の主柱材への取り付けも簡単で利便性に富み、鉄塔への取り付けも強固に出来、信頼性が高いものである。
【００１２】
また、軸受部の両脇にワイヤロープを係止し、第一金具と第二金具を左右から安定して緊張させて接続することができるので、第一金具と第二金具をより一体に接続でき、確実に台棒の荷重を分割して支持することができ、取付金具として信頼性が高いものである。
【００１３】
さらに、請求項３の発明によれば、前記ワイヤロープは、長さ調整自在な張線器から延出されることとしたので、この取付金具を鉄塔上に取り付ける際、ワイヤロープの緊線操作が円滑かつ容易に出来るので、取付金具として極めて使い勝手の良いものである。
【図面の簡単な説明】
【００１４】
【図１】この発明の実施の形態例１の台棒の取付金具を使用して、鉄塔の主柱材に台棒を取り付けた状態の一部省略側面斜視図である。
【図２】この発明の実施の形態例１の取付金具の第一金具を主柱材に取り付けた状態の平面図である。
【図３】この発明の実施の形態例１の取付金具の第一金具の第一外側板の正面図である。
【図４】この発明の実施の形態例１の取付金具の第一金具の第一外側板の平面図である。
【図５】この発明の実施の形態例１の取付金具の第一金具の第一外側板の側面図である。
【図６】この発明の実施の形態例１の取付金具の第一金具の第一内側板の正面図である。
【図７】この発明の実施の形態例１の取付金具の第一金具の第一内側板の平面図である。
【図８】この発明の実施の形態例１の取付金具の第一金具の第一内側板の側面図である。
【図９】この発明の実施の形態例１の取付金具の第二金具を主柱材に取り付けた状態の平面図である。
【図１０】この発明の実施の形態例１の取付金具の第二金具の第二内側板の正面図である。
【図１１】この発明の実施の形態例１の取付金具の第二金具の第二内側板の底面図である。
【図１２】この発明の実施の形態例１の取付金具の第二金具の第二内側板の側面図である。
【図１３】この発明の実施の形態例１の台棒の取付金具を使用して、鉄塔の主柱材に台棒を取り付けた状態の一部省略斜視図である。
【図１４】この発明の実施の形態例２の取付金具の第一金具を主柱材に取り付けた状態の平面図である。
【図１５】この発明の実施の形態例２の取付金具の第二金具を主柱材に取り付けた状態の平面図である。
【図１６】この発明の実施の形態例２の取付金具によって鉄塔の外側に台棒を取り付けた状態の概略側面図である。
【図１７】従来の鉄塔の主柱材に取付けられた台棒の説明図である。
【発明を実施するための最良の形態】
【００１５】
（実施の形態例１）
以下、この発明の実施の形態例１の台棒の取付金具Ａ（以下、単に、「取付金具Ａ」と言う。）を図に基づいて説明する。図１に示すように、この実施の形態例１の取付金具Ａは、第一金具１、第二金具４及びワイヤロープ１３を備えた張線器Ｃから成る。
【００１６】
第一金具１は、図２に示すように、第一外側板２及び第一内側板３から成る。前記第一外側板２は、図３、図４及び図５に示すように、細幅の板体２ａを山形に折り曲げ、左右の両端部を少し折り返して夫々突き合わせ部２ｂとしている。これらの突き合わせ部２ｂには、上下方向に２つの貫通孔２ｃ、２ｃを夫々設けている。また、この第一外側板２の上下の端縁は一定長外側に夫々突出してフランジ部２ｄ、２ｄとなっている（図５参照）。
【００１７】
前記第一内側板３は、図６、図７及び図８に示すように、細幅の板体３ａを山形に折り曲げ、当該板体３ａの内側の開口にアングル材の垂直な一片３ｂ（以下「垂直片３ｂ」と言う。）を当てて溶接により固着している。この垂直片３ｂの左右の両端部を突き合わせ部３ｃとし、当該各突き合わせ部３ｃの上下方向に２つの貫通孔３ｄ、３ｄを夫々設けている。また、板体３ａの内側の開口内には、横長の台形状の補強板３ｅを水平に設けている。
【００１８】
さらに、このアングル材の上記垂直片３ｂの上部に位置する水平な（直角な）他片（以下、「下部支持板３ｆ」と言う。）の上面の中央部に台棒の下端部を回転自在に軸支する軸受部３ｇを設けている。この軸受部３ｇは、２枚の板体を相対向させて立設させ、各板体の相対向する位置に貫通孔３ｈを設けて形成されている。
【００１９】
また、前記下部支持板３ｆ上であって前記軸受部３ｇの両脇に、後述する２つの張線器の一方の鉤部を係止する係止部３ｉを夫々設けている。これらの係止部３ｉは前記下部支持板３ｆ上に水平方向に貫通孔を設けた突起３ｊを立設し、この突起３ｊの貫通孔にクレビス３ｋの螺着用の貫通孔の位置を合わせ、ボルト３ｍとナット３ｎにより固着して夫々設けられている。
【００２０】
前記第二金具４は、図９に示すように、前記第一金具１と同様に、第二外側板５及び第二内側板６から成る。前記第二外側板５は、前記第一外側板２と同様の構成であり、細幅の板体を山形に折り曲げ、両端部を少し折り返して夫々突き合わせ部５ａとしている。これらの突き合わせ部５ａは、上下方向に２つの貫通孔を設けている。また、前記山形に折り曲げた板体の上下縁にフランジ部５ｂ、５ｂを設けている。
【００２１】
前記第二内側板６は、図１０、図１１及び図１２に示すように、細幅の板体６ａを山形に折り曲げ、この板体の内側の開口にアングル材の垂直な一片６ｂ（以下「垂直片６ｂ」と言う。）を当てて溶接により固着する。この垂直片６ｂの左右の両端部を突き合わせ部６ｃとし、当該各突き合わせ部６ｃの上下方向に２つの貫通孔６ｄ、６ｄを設けている。また、板体６ａの内側の開口内には、横長の台形状の補強板６ｅを水平に設けている。
【００２２】
さらに、このアングル材の上部に位置する水平な（直角な）他片（以下「上部支持片６ｆ」と言う。）の下面に、図１に示すように、この取付金具Ａを主柱材に取り付けた際、前記第一内側板３の２つの係止部３ｉ、３ｉに相対向する位置に２つの係止部６ｇ、６ｇを設けている。これらの係止部６ｇ、６ｇは、前記第二内側板６の上部支持板６ｆの下面の２つの突起６ｈ、６ｈに貫通孔を夫々設け、これらの貫通孔にクレビス６ｉの螺着用の貫通孔の位置を合わせ、ボルト６ｍとナット６ｎにより固着して夫々設けられている。
【００２３】
次に、この実施の形態例１の取付金具Ａの使用の方法を説明する。ここでは、鉄塔の上部の主柱材Ｂの内側に、この実施の形態例１の取付金具Ａを取り付ける。図１３に示すように、山形鋼から成る主柱材Ｂの外側に、前記第一金具１の第一外側板２の内側の山形形状を合わせて押し当てる。この主柱材Ｂの内側に前記第一内側板３の外側の山形形状を合わせて押し当てる。そして、この主柱材Ｂの両側から突出した第一外側板２及び第一内側板３の両端の突き合わせ部２ｂ，３ｃの位置を合わせ、これらの突き合わせ部２ｂと３ｃの孔を通したボルト７とナット８で締付け、挟持して主柱材Ｂに固定する（図２参照）。
【００２４】
さらに、前記主柱材Ｂ上であって前記第一金具１から一定長離れた上方の外側に、前記第二金具４の第二外側板５の内側の山形形状を合せて押し当てる。この主柱材Ｂの内側に前記第二内側板６の外側の山形形状を合せて押し当てる。この主柱材Ｂの両側から突出した第二外側板５及び第二内側板６の両端の突き合わせ部５ａ、６ｃの位置を合わせ、これらの突き合わせ部５ａと６ｃの孔を通したボルト７とナット８で締付け、挟持して主柱材Ｂに固定する（図９参照）。
【００２５】
続いて、前記第一金具１と第二金具４を張線器Ｃを使ってワイヤロープ１３を緊張させて接続するが、ここでは２個の張線器Ｃ、Ｃを使用する。前記第二内側板６の係止部６ｇ、６ｇの各クレビス６ｉに張線器Ｃ、Ｃの一方の鉤部１１、１１を係止し、前記第一内側板３の係止部３ｉ、３ｉの各クレビス３ｋに前記張線器Ｃ、Ｃから導出したワイヤロープ１３先端の他方の鉤部１２、１２を係止し、夫々の張線器Ｃ、Ｃの締付操作部を操作して当該張線器Ｃ、Ｃのワイヤロープ１３、１３を緊張させる。
【００２６】
さらに、前記第一内側板３の軸受部３ｇの各貫通孔３ｈと台棒Ｄの下端部に予め形成された貫通孔の位置を合わせ、これらの貫通孔の中に支軸を挿通して、台棒Ｄを軸受部３ｇに上下方向に回転自在に軸支する（図１参照）。以上により、前記台棒Ｄは、前記第一金具１と第二金具４で支持される。
【００２７】
以上の様に、この実施の形態例１の取付金具Ａによれば、取付金具Ａは、第一金具１及び第二金具４の２つの部材とこれらを着脱自在に連絡する２つの張線器Ｃからなるので、夫々の部材が従来の取付金具と比べて軽量であり、鉄塔の取り付けや移動に際しては、多数の作業員を必要とせず、使い勝手が良い。また、鉄塔の主柱材への取り付けも簡単で利便性に富み、鉄塔への取り付けも強固に出来、信頼性が高いものである。
【００２８】
また、張線器Ｃ、Ｃを２個使用し、第一金具１と第二金具４を左右から安定して緊張させて接続することができるので、第一金具１と第二金具４をより一体に接続でき、確実に台棒Ｄの荷重を分割して支持することができ、取付金具として信頼性が高いものである。
【００２９】
（実施の形態例２）
次に、この発明の実施の形態例２の取付金具を図に基づいて説明する。この実施の形態例２の取付金具Ｅは、台棒を前記主柱材Ｂの外側に取り付けるようにしたものである。この場合、図１４及び図１５の示すように、第一金具２１の下部支持板２２ｂは第一外側板２２の外側に、また、第二金具２４の上部支持板２５ｂは第二外側板２５の外側に設けられる。
【００３０】
前記第一金具２１の第一外側板２２は、細幅の板体２２ａを山形に折り曲げ、その外側に直角に板体を設けて下部支持板２２ｂを形成しており、この下部支持板２２ｂ上に台棒を支持する軸受部２２ｃ及び張線器Ｃのワイヤロープ１３の鉤部１２，１２を係止する２つの係止部２２ｄを設けている。また、第一内側板２３は細幅の板体２３ａを山形に折り曲げて形成し、開口内に水平な補強板２３ｂを設けている。
【００３１】
また、前記軸受部２２ｃの構成は前記実施の形態例１と同じである。さらに、図示は省略したが前記係止部２２ｄは、前記実施の形態例１の第一金具１の第一内側板３の係止部３ｉと同様に突起とクレビスから成る。
【００３２】
また、前記第二金具２４の第二外側板２５は、細幅の板体２５ａを山形に折り曲げ、その外側に直角に板体を設けて上部支持板２５ｂを形成しており、この板体２５ｂの下面に張線器Ｃの鉤部１１，１１を係止する２つの係止部２５ｃを設けている。また、第二内側板２６は細幅の板体２６ａを山形に折り曲げて形成し、開口内に水平な補強板２６ｂを設けている。
【００３３】
また、図示は省略したが前記係止部２５ｃは、前記実施の形態例１の第二金具４の第二内側板６の係止部６ｇと同様に突起とクレビスから成る。
【００３４】
さらに、この実施の形態例２の取付金具Ｅにおいても、図１６に示すように、前記実施の形態例１と同様に、鉄塔の主柱材Ｂに第一金具２１を取り付け、この第一金具２１の上方の主柱材Ｂに第二金具２４を取り付ける。この第二金具２４の第二外側板２５の上部支持板２５ｂの各係止部２５ｃに張線器Ｃの一方の鉤部１１を係止し、前記第一金具２１の第一外側板２２の下部支持板２２ｂの各係止部２２ｄに張線器Ｃのワイヤロープ１３の他方の鉤部１２を係止し、そして、前記軸受部２２ｃに台棒Ｆの下端を上下方向に回転自在に軸支するものである。なお、図１６では、台棒Ｆの先端に小型電動ホイストを設け、物材の吊り上げ、下げを遠隔操作する構成とし、台棒Ｆの起伏ワイヤロープのみ地上のウインチで巻き上げ等の操作を行う。従って、全体の装置を簡易化することができる構成となっている。
【００３５】
前記実施の形態例１及び２では、張線器Ｃ、Ｃを２個使用しているが、張線器の数としては２個以上であれば良く、作業時の必要な数量を使用すれば良い。また、張線器Ｃがなくてもワイヤロープ１３を第一金具１と第二金具４との間で緊張できれば良い。
【００３６】
また、台棒Ｄ、Ｆを支持する軸受部３ｇ、２２ｃとして、２枚の板体を相対向させて立設し、各板体の相対向する位置に貫通孔を設けて形成しているが、軸受部３ｇ、２２ｃの構成としてはこれに限らず、台棒Ｄ、Ｆを上下方向に回転自在に軸支できるなら他の構成でも良い。
【００３７】
さらに、張線器Ｃの鉤部１１、１２を係止する係止部３ｉ、６ｇ、２２ｄ、２５ｃとして具体的な構成を記載しているが、係止部３ｉ、６ｇ、２２ｄ、２５ｃの構成としてはこれに限らず、張線器Ｃの鉤部１１、１２を係止できるものなら他の構成でも良い。
【符号の説明】
【００３８】
Ａ    取付金具          Ｂ    主柱材           Ｃ    張線器
Ｄ    台棒              Ｅ    取付金具         Ｆ    台棒
１    第一金具          ２    第一外側板       ２ａ  板体
２ｂ  突き合わせ部        ３    第一内側板       ３ａ  板体
３ｂ  垂直片              ３ｃ  突き合わせ部     ３ｆ  下部支持板
３ｇ  軸受部              ３ｉ  係止部           ４    第二金具
５    第二外側板        ５ａ  突き合わせ部     ６    第二内側板
６ａ  板体              ６ｂ  垂直片           ６ｃ  突き合わせ部
６ｆ  上部支持板        ６ｇ  係止部           ７    ボルト
８    ナット          １１    鉤部           １２    鉤部
１３    ワイヤロープ    ２１    第一金具       ２２     第一外側板
２３    第一内側板      ２４    第二金具       ２５     第二外側板
２６    第二内側板
【図１】
2020133257.tif 000003
【図２】
2020133257.tif 000004
【図３】
2020133257.tif 000005
【図４】
2020133257.tif 000006
【図５】
2020133257.tif 000007
【図６】
2020133257.tif 000008
【図７】
2020133257.tif 000009
【図８】
2020133257.tif 000010
【図９】
2020133257.tif 000011
【図１０】
2020133257.tif 000012
【図１１】
2020133257.tif 000013
【図１２】
2020133257.tif 000014
【図１３】
2020133257.tif 000015
【図１４】
2020133257.tif 000016
【図１５】
2020133257.tif 000017
【図１６】
2020133257.tif 000018
【図１７】
2020133257.tif 000019